【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
ランセット装置であって、
（ａ）開いた頂端部および少なくとも１つの側部開口を備える本体と、
（ｂ）前記本体内部に取り付けられ、比較的圧縮度が大きい発射準備状態と比較的圧縮度が小さい非発射準備状態の間で変形可能であり、圧縮のために前記少なくとも１つの側部開口から手でアクセス可能なスプリングと、
（ｃ）ランセット先端を有し、前記本体の前記開いた頂端部より下方に前記ランセット先端が配置される収納位置と、前記本体の前記開いた頂端部より上方に前記ランセット先端が配置される突出位置との間を移動できるように前記スプリングに結合され、前記スプリングが前記発射準備状態であるとき前記収納位置にあり、前記スプリングが前記非発射準備状態であるとき前記突出位置にあるランセットと、
（ｄ）前記スプリングを前記発射準備状態に保持するための、前記スプリングの圧縮によって作動される解放可能なキャッチと、前記解放可能なキャッチに係合可能であり、前記解放可能なキャッチを解放するためのアクチュエータとを備えるランセット装置。
【請求項２】
前記スプリングが、前記少なくとも１つの側部開口に向かって外側にバイアスされるアームを備える請求項１に記載のランセット装置。
【請求項３】
ランセット装置であって、
（ａ）開いた頂端部を備える本体と、
（ｂ）前記本体内部に取り付けられ、比較的圧縮度が大きい発射準備状態と比較的圧縮度が小さい非発射準備状態の間で可逆的に変形可能なスプリングと、
（ｃ）ランセット先端を有し、前記本体の前記開いた頂端部より下方に前記ランセット先端が配置される収納位置と、前記本体の前記開いた頂端部より上方に前記ランセット先端が配置される突出位置との間を移動できるように前記スプリングに結合され、前記スプリングが前記発射準備状態であるとき前記収納位置にあり、前記スプリングが前記非発射準備状態であるとき前記突出位置にあるランセットと、
（ｄ）前記スプリングを前記発射準備状態に保持するための解放可能なキャッチと、
（ｅ）前記解放可能なキャッチと係合可能であり、前記解放可能なキャッチを解放するためのアクチュエータであって、前記ランセットによって穿刺される身体部分と接触することによって作動されるアクチュエータとを備えるランセット装置。
【請求項４】
ランセット装置であって、
（ａ）開いた頂端部で終端する管状部材を備える本体と、
（ｂ）ランセット先端を有し、前記管状部材の前記開いた頂端部より下方に前記ランセット先端が配置される収納位置から、前記管状部材の前記開いた頂端部より上方に前記ランセット先端が配置される突出位置へと移動可能なランセットと、
（ｃ）前記本体内部に取り付けられ、前記ランセットに結合され、前記ランセットを前記収納位置から前記突出位置へと移動させるスプリングと、
（ｄ）前記ランセットを前記収納位置に保持するための解放可能なキャッチと、
（ｅ）前記解放可能なキャッチと係合可能であり、前記解放可能なキャッチを解放するためのアクチュエータであって、前記管状部材の前記開いた頂端部を通って突出し、前記ランセットによって穿刺される身体部分に接触することによって作動される前記アクチュエータと、
（ｆ）前記管状部材上に取り付けられ、前記開いた頂端部を超えて突出する、前記ランセットによって穿刺される皮膚を引き伸ばすための可撓性の封止部とを備えるランセット装置。
【請求項５】
前記スプリングが、外方向にバイアスする１対のアームを有するほぼＵ字形の部材を備え、前記本体が１対の側部開口を備え、それを通して前記外方向にバイアスするアームがアクセスされ内側に互いに近づくように枢動されることができる請求項１、３または４のいずれか一項に記載のランセット装置。
【請求項６】
ランセットホルダと、前記ランセットホルダを前記スプリングに結合する手段とをさらに備え、前記ランセットが前記ランセットホルダ内で受けられ、前記キャッチが前記ランセットホルダと係合可能である請求項５に記載のランセット装置。
【請求項７】
前記結合手段が、前記外方向にバイアスするアームの一方に第１の端部が固定され、前記外方向にバイアスするアームのもう一方に第２の端部が固定された、前記ランセットホルダを通って挿入されたフィラメントを備える請求項６に記載のランセット装置。
【請求項８】
前記ランセットホルダを前記本体の前記開いた頂端部から離れる方向にバイアスさせる手段をさらに備える請求項７に記載のランセット装置。
【請求項９】
前記本体内部に固定された支持部をさらに備え、前記キャッチが前記支持部の一部であり、前記バイアス手段が、前記ランセットホルダに固定された第１の端部と前記支持部上にその底部に近接して形成されたタブに固定された第２の端部とを有する、弾性のストラップを備える請求項８に記載のランセット装置。
【請求項１０】
前記アクチュエータが、前記本体の前記管状部材内に摺動可能に取り付けられた円筒形部材を備える請求項１、３または４のいずれか一項に記載のランセット装置。
【請求項１１】
前記アクチュエータを前記解放可能なキャッチから離れる方向にバイアスさせる手段をさらに備える請求項１、３または４のいずれか一項に記載のランセット装置。
【請求項１２】
前記解放可能なキャッチが前記スプリングの圧縮によって動作させられる請求項３または４に記載のランセット装置。
【請求項１３】
ランセット装置であって、
（ａ）本体であって、
（ｉ）内部キャビティを備え、前部、後部、左側、右側、底部、および開いた頂部を含み、前記左側および前記右側にそれぞれ、長手方向スロットを有するスカロップ部を備える、基部と、
（ｉｉ）前記基部上に取り付けられており、底部と、開いた頂端部および開いた底端部を有する管状頂部とを含む中空の蓋とを備える本体と、
（ｂ）前記本体内に取り付けられたほぼＵ字形の部材であり、第１の外方向にバイアスするアームおよび第２の外方向にバイアスするアームを備えるスプリングであって、前記第１の外方向にバイアスするアームが、前記第２の外方向にバイアスするアームに向かって圧縮させるように、前記基部の前記左側にある前記長手方向スロットからアクセス可能であり、前記第２の外方向にバイアスするアームが、前記第１の外方向にバイアスするアームに向かって圧縮させるように、前記基部の前記右側にある前記長手方向スロットからアクセス可能である、スプリングと、
（ｃ）ランセットホルダと、
（ｄ）前記基部に取り付けられ、円筒形部材を備える支持部材であって、前記円筒形部材が、前記蓋の前記管状頂部と位置合せされた長手方向に延びる孔を含み、前記ランセットホルダが、前記長手方向に延びる孔の内部に摺動可能に取り付けられ、前記円筒形部材がさらに、前記スプリングが十分に圧縮されたとき解放可能なように前記ランセットホルダと係合可能なキャッチを備える、支持部材と、
（ｅ）前記ランセットホルダ内に取り付けられ、ランセット先端を有し、前記中空の蓋の前記管状頂部の前記開いた頂端部より下方に前記ランセット先端が配置される収納位置と、前記中空の蓋の前記管状頂部の前記開いた頂端部より上方に前記ランセット先端が配置される突出位置との間を移動できるように前記スプリングに結合され、前記スプリングが発射準備状態であるとき前記収納位置にあり、前記スプリングが非発射準備状態であるとき前記突出位置にあるランセットと、
（ｆ）前記スプリングを前記ランセットホルダに結合する手段と、
（ｇ）前記ランセットホルダを下方にバイアスさせる手段であって、前記スプリングより弱いバイアス手段と、
（ｈ）前記中空の蓋の前記管状頂部内に摺動可能に取り付けられており、前記キャッチを前記ランセットホルダから解放するように前記キャッチと係合可能であり、前記ランセットによって穿刺される身体部分と接触することによって作動される、アクチュエータと、
（ｉ）前記アクチュエータを前記キャッチから離れる方向にバイアスさせる手段とを備えるランセット装置。